(57)【特許請求の範囲】
【請求項１】
１シートの服地又は相互に継合わされた複数シートの服地である衣服本体を備え、
前記衣服本体の各シートの服地が、人に着用されたとき、前記人の身体の所定部分を貫通させる少なくとも２つの開口を有する中空の立体形状を形成し、
前記各シートの服地は、前記各シートの服地の面積の全体に二次元的に配列された多数の多角形パターンを画成する多数の恒常的な折り線を有し、
前記多数の折り線は、これら多数の折り線に沿って前記各シートの服地が扁平に折り畳まれることを可能とする幾何学的条件を満たし、
前記各シートの服地が、人に着用されたとき、前記多数の折り線に沿った折れが維持されるように、異なる多角形パターン上の少なくとも２箇所を、相互に結合するための結合手段を有する衣服。
【請求項２】
請求項１記載の衣服において、前記結合手段を有する前記少なくとも２箇所は、前記衣服本体が扁平に折り畳まれたときに相互に接触し合う位置に配置されている衣服。
【請求項３】
請求項１又は２のいずれかの項に記載の衣服において、前記衣服本体は、前記各シートの服地の異なる辺縁に沿う少なくとも２箇所を相互に閉じ合わせる、閉じ合わせ手段を有し、
前記閉じ合わせ手段は、前記衣服本体が扁平に折り畳まれた状態で接触し合う位置関係にある、前記各シートの服地の異なる辺縁に沿う少なくとも２箇所に設けられる衣服。
【請求項４】
請求項１〜３のいずれかの項に記載の衣服において、前記恒常的な折り線は、複数の山折り線及び複数の谷折り線からなり、前記複数の谷折り線は、前記衣服の着用時において人体の関節運動による人体の変形を受け入れるために衣服が伸縮すべき方向に対して交差する方向に選ばれている衣服。
【請求項５】
請求項１〜４のいずれかの項に記載の衣服において、前記衣服本体は、前記多数の恒常的な折り線の位置を視覚的に表示する色彩又は模様を備える衣服。
【請求項６】
請求項５に記載の衣服において、前記折り線の位置を視覚的に表示する前記模様は、衣服の製造工程において、前記恒常的な折り線が前記各シートの服地に形成されるより前に、前記各シートの服地上に形成されたものである衣服。
【請求項７】
請求項５又は６のいずれか一項に記載の衣服において、前記折り線の位置を視覚的に表示する前記模様が、前記各シートの服地上の互いに隣接する多角形パターンが互いに異なる色彩又は模様をもつように、前記多数の多角形パターンの領域にそれぞれ施された色彩又は模様を含む衣服。
【請求項８】
請求項５又は６のいずれか一項に記載の衣服において、前記折り線の位置を視覚的に表示する前記模様が、前記各シートの服地上の前記折り線に相当する位置に施された線模様を含む衣服。
【請求項９】
請求項１〜８のいずれかの項に記載の衣服において、前記衣服本体には、その全体表面のうち、扁平に折り畳まれた状態で外部に露出する表面部分に、前記衣服本体の他の表面部分とは異なる色彩及び／又は模様が施される衣服。
【請求項１０】
請求項１〜９のいずれかの項に記載の衣服において、前記衣服本体の各シートの服地に、人の体の所定部分を貫通させるための切開口が形成される衣服。
【発明の詳細な説明】
【技術分野】
【０００１】
本発明は衣服、例えばドレス、ジャケット、シャツ、スカート、キュロットスカート及びパンツなどに関する。
【背景技術】
【０００２】
特許文献１には、ベルトのような形状に折り畳むことができ、それにより、非使用時に腰のまわりにベルトのように装着することができる防水衣服が開示されている。
【０００３】
特許文献２には、非着用時にコンパクトに折り畳むことができる外科用ガウンが開示されている。
【０００４】
特許文献３には、一部分にプリーツを有する医師用ガウンであって、非着用時にそのガウンを折り畳むとき、その一部分がプリーツの折り目に沿って折り畳めるようになったものが開示されている。
【０００５】
特許文献４には、プリーツを有し、そのプリーツの折り目に沿って小さく折り畳めるスカートが開示されている。
【先行技術文献】
【特許文献】
【０００６】
【特許文献１】特開昭５６−１４０１０１号公報
【特許文献２】特開昭６０−８８５４５号公報
【特許文献３】特開昭６４−２６７０３号公報
【特許文献４】実開昭５８−１４８０１３号公報
【発明の概要】
【発明が解決しようとする課題】
【０００７】
衣服には、人に着用されるときのその衣服の形状が、人体の複雑な形状に適合すること、及び、人の動きに応じて柔軟に変化できることも要求される。また、衣服には、その衣服が人に着用されるときに視覚的にアピールする美的な外観をもつことが望まれる。加えて、衣服には、その衣服の収納スペースを節約し、かつその衣服の運搬を容易にするために、扁平な形状に折り畳めることが望まれる。
【０００８】
しかし、従来、視覚的アピールが重視される通常の衣服の場合、その衣服を扁平に折り畳んだならば、その折り畳み線が、その衣服の着用時における、美的にデザインされた外観を損なう結果になる。それゆえ、人々は通常、その美的な外観に価値のある衣服を収納するとき、その外観を損なわないように、それを折り畳むのではなく、それを例えばハンガーに吊るす。
【０００９】
他方、その折り目に沿って小さく折り畳むことができるプリーツを有する従来のスカートの場合、その外観のデザインがプリーツだけに制限される。プリーツだけに制限されたそのデザインは、そのスカートの視覚的アピールへの寄与が弱いであろう。
【００１０】
本発明の目的は、衣服を扁平に折り畳むことを可能とし、かつその衣服の外観デザインの視覚的アピールに寄与することにある。
【課題を解決するための手段】
【００１１】
本発明の一実施形態に従う衣服は、１シートの服地又は相互に継合わされた複数シートの服地である衣服本体を備え、前記衣服本体の各シートの服地が、人に着用されたとき、前記人の身体の所定部分を貫通させる少なくとも２つの開口を有する中空の立体形状を形成し、前記各シートの服地は、前記各シートの服地の面積の全体に行列状に配列された多数の多角形パターンを画成する多数の恒常的な折り線を有し、前記多数の折り線は、これら多数の折り線に沿って前記各シートの服地が扁平に折り畳まれることを可能とする幾何学的条件を満たし、前記各シートの服地が、人に着用されたとき、前記多数の折り線に沿った折れが維持されるように、異なる多角形パターン上の少なくとも２箇所が、相互に結合されるための結合手段を有する。
【００１２】
この構成により、本実施形態に係る衣服は、扁平に折り畳むことができるとともに、外観デザインの視覚的アピールに寄与することができる。すなわち、この衣服は、衣服本体の多数の折り線により形成される衣服本体の表面の凹凸が、着用時には衣服の外観デザインを提供する。他方、この衣服本体の多数の折り線に沿って、その衣服は扁平に折り畳むことができるので、非着用時には、その収容のためのスペースが小さくてすみ、持ち運びも容易である。また、従来の衣服のように、折り畳みでできた服地の折れ目が着用時の衣服の外観デザインを損なうという問題がない。
【００１３】
好適な実施形態では、前記結合手段は、前記衣服本体が扁平に折り畳まれたときに相互に重なり接触し合う位置に配置される。
【００１４】
この構成により、本実施形態に係る衣服は、折り線を維持することによる、衣服の高いデザイン性、及び、人体の形状及び動きにフィットした衣服の形状が、衣服が扁平に折り畳まれること、即ち衣服の収容の容易さを阻害しない。
【００１５】
好適な実施形態では、前記衣服本体は、前記各シートの服地の異なる辺縁に沿う少なくとも２箇所を相互に閉じ合わせる、閉じ合わせ手段を有し、前記閉じ合わせ手段は、前記衣服本体が扁平に折り畳まれた状態で接触し合う位置関係にある、前記各シートの服地の異なる辺縁に沿う少なくとも２箇所に設けられる。
【００１６】
この構成により、本実施形態に係る衣服は、人体を覆うという衣服本来の形状が、衣服が扁平に折り畳まれること、即ち衣服の収容の容易さを阻害しない。
【００１７】
好適な実施形態では、前記恒常的な折り線は、複数の山折り線及び複数の谷折り線からなり、前記複数の谷折り線は、衣服の着用時において、人体の関節運動による変形を受け入れるために、衣服が伸縮すべき方向に選ばれている。
【００１８】
この構成により、本実施形態に係る衣服は、多数の折り線での折れ角度の変化（つまり、折れが深くなったり、浅くなったりすること）により、衣服が伸縮すべき方向へ（他の方向と比較して）比較的容易に伸縮することができる。
【００１９】
好適な実施形態では、前記衣服本体は、前記多数の恒常的な折り線の位置を視覚的に表示する色彩又は模様を備える。
【００２０】
この構成により、本実施形態に係る衣服は、服地上の折り線の位置が視認可能となるとともに、折り線の位置を視覚的に表示する色彩又は模様が、衣服の外観デザインの構成要素になる。
【００２１】
好適な実施形態では、前記折り線の位置を視覚的に表示する前記模様は、前記衣服の製造工程において、前記恒常的な折り線が前記各シートの服地に形成されるより前に、前記各シートの服地上に形成されたものである。
【００２２】
この構成により、本実施形態に係る衣服を製造する際に、服地の何処に折り線を形成すべきなのかを容易に理解できる。
【００２３】
好適な実施形態では、前記折り線の位置を視覚的に表示する前記模様が、前記各シートの服地上の互いに隣接する多角形パターンが互いに異なる色彩又は模様をもつように、前記多数の多角形パターンの領域にそれぞれ施された色彩又は模様を含む。
【００２４】
この構成により、本実施形態に係る衣服は、折り線の位置が、それぞれ異なる色彩又は模様が施された互いに隣接する多角形パターンの境界線として、明確に視認可能である。そして、その境界線に沿って服地を折ることで、正しい位置に折り線が形成され、衣服としての正しい形状が形成されることとなる。加えて、異なる色彩又は模様で塗り分けられた多角形パターンが、衣服の外観デザインの構成要素となる。
【００２５】
好適な実施形態では、前記折り線の位置を視覚的に表示する前記模様が、前記各シートの服地上の前記折り線に相当する位置に施された線模様を含む。
【００２６】
この構成により、本実施形態に係る衣服を製造する際には、服地を線模様に沿って折ることで、恒常的な折り線が正しい位置に形成されて、衣服としての正しい形状が形成されることとなる。加えて、折り線に沿った線模様が、衣服の外観デザインの構成要素になる。
【００２７】
好適な実施形態では、前記衣服本体は、その全体表面のうち、扁平に折り畳まれた状態で外部に露出する表面部分に、前記衣服本体の他の表面部分とは異なる色彩及び／又は模様が施される。
【００２８】
この構成により、本実施形態に係る衣服は、着用時において、色彩又は模様が分散する、独特な面白みのあるデザイン性を備える。また、扁平に折り畳まれた状態の衣服は、その外部に露出する部分全体に色彩又は模様が施されているため、着用時の場合とはまた異なった、独特なデザイン性を備える。
【００２９】
好適な実施形態では、前記衣服本体の各シートの服地に、人の体の所定部分を貫通させるための切開口が形成される。
【００３０】
この構成により、本実施形態に係る衣服は、より人体の形状にフィットした衣服本来の形状として形成されることが可能となる。
【図面の簡単な説明】
【００３１】
【図１】本発明の一つの実施形態の第１の例にかかるワンピース・ドレスの衣服本体を展開した状態を示す平面図である。
【図２】図１のワンピース・ドレスを扁平に折り畳んだ状態を示す平面図である。
【図３】図１のワンピース・ドレスの着用時の状態を示す正面図である。
【図４】図２の扁平に折り畳んだ状態のワンピース・ドレスに色づけを施した状態を示す平面図である。
【図５】図４の色づけされたワンピース・ドレスの着用時の状態を示す正面図である。
【図６】本実施形態の第２の例にかかるジャケットの衣服本体を展開した状態を示す平面図である。
【図７】図６のジャケットを扁平に折り畳んだ状態を示す平面図である。
【図８】図６のジャケットの着用時の状態を示す正面図である。
【図９】本実施形態の第３の例にかかるシャツの衣服本体を展開した状態を示す平面図である。
【図１０】図９のシャツを扁平に折り畳んだ状態を示す平面図である。
【図１１】図９のシャツの着用時の状態を示す正面図である。
【図１２】本実施形態の第４の例にかかるスカートの衣服本体を展開した状態を示す平面図である。
【図１３】図１２のスカートを扁平に折り畳んだ状態を示す平面図である。
【図１４】図１２のスカートの着用時の状態を示す正面図である。
【図１５】本実施形態の第５の例にかかるシャツの衣服本体を展開した状態を示す平面図である。
【図１６】図１５のシャツを扁平に折り畳んだ状態を示す平面図である。
【図１７】図１５のシャツの着用時の状態を示す正面図である。
【図１８】本実施形態の第６の例にかかるスカートの衣服本体を展開した状態を示す平面図である。
【図１９】図１８のスカートを扁平に折り畳んだ状態を示す平面図である。
【図２０】図１８のスカートの着用時の状態を示す正面図である。
【図２１】本実施形態の第７の例にかかるシャツの衣服本体を展開した状態を示す平面図である。
【図２２】図２１のシャツ及び図２４のスカートを扁平に折り畳んだ状態を示す平面図である。
【図２３】図２１のシャツの着用時の状態を示す正面図である。
【図２４】本実施形態の第８の例にかかるスカートの衣服本体を展開した状態を示す平面図である。
【図２５】図２４のスカートの着用時の状態を示す正面図である。
【図２６】本実施形態の第９の例にかかるシャツの衣服本体を展開した状態を示す平面図である。
【図２７】図２６のシャツを扁平に折り畳んだ状態を示す平面図である。
【図２８】図２６のシャツの着用時の状態を示す正面図である。
【発明を実施するための形態】
【００３２】
以下に、本発明にかかる衣服の一実施形態を説明する。本実施形態にかかる衣服は、様々な形態の衣服、例えば、女性用のワンピース・ドレス、ジャケット、シャツ、スカート、キュロットスカート又はパンツ等の衣服であり得る。
【００３３】
まず、本実施形態にかかる衣服の基本的構成を説明する。本実施形態にかかる衣服は、１シートの服地又は相互に継合わされた複数シート（典型的には２シート、又は多くても数シート）の服地から作られた衣服本体を備える。ここで、本明細書における衣服本体とは、衣服の主要機能、つまり、人体を覆うとともに衣服の基本的な外観デザインを決定する機能を提供する衣服の主要部分をいう。よって、衣服の主要機能を助ける補助機能又は他の機能を提供する衣服の部分、例えば、衣服を人体に取り付けるための部材（例えば、ストラップ、ベルト、ボタン、ホック等）、衣服を補強するための部材（例えば、裏地、見返し等）、及び装飾部材（例えば、飾り布、コサージュ等）は、衣服本体に含まない。
【００３４】
衣服本体を構成する各シートの服地は、多数の恒常的な折り線を有し、それら恒常的な折り線は、その服地の面積の全体に行列状に（つまり、二次元に）配列された多数の多角形パターンを画成する。ここで、恒常的な折り線とは、通常の着用や洗濯によっては折り線が消えないことであって、それにより、ユーザは常にそれらの折り線を認識できる。
【００３５】
各シートの服地の多数の恒常的な折り線は、その衣服本体を扁平に（つまり、服地の厚みを無視すれば平面形状に）折り畳むことを可能にするための或る幾何学的条件を満たしている。さらに、上述の多数の恒常的な折り線は、それらの折り線での服地の折れをある程度開いたときにその服地が立体形状になるための別の幾何学的条件も満たしている。因みに、上記２種類の幾何学的条件を満たすシートそれ自体は、所謂「立体折り紙」として経験的に公知であり、それら幾何学的条件の数学的解説は、例えば特許第４２５３１４５号公報に記述されているから、本明細書ではその詳細な説明は省略する。
【００３６】
上記１シート又は複数シートの服地（つまり衣服本体）により形成される上記立体形状は、衣服（例えば、ワンピース・ドレス、ジャケット、シャツ、スカート、キュロットスカート又はパンツ等）として使用できる立体形状である。すなわち、この立体形状は、身体の所定部分（例えば、首、胴、腰、脚及び／又は腕等）を貫通させる少なくとも２つの開口（例えば、襟ぐり、裾、袖ぐり及び／又は袖口等に相当する開口）を有する中空の形状である。換言すれば、上記立体形状は、１つの開口のみをもつ容器のような形状、又は、開口の全く無いボールのような閉じた形状ではない。
【００３７】
前記立体形状（複数の開口を有する中空形状）を形成するために、衣服本体は、好ましくは、以下の閉じ合わせ（seaming）手段及び／又は切開口を有することができる。
【００３８】
閉じ合わせ手段は、衣服本体が、人に着用されたとき、人の身体の所定部分を包囲するチューブを形作るように、衣服本体の各シートの服地の異なる辺縁に沿う少なくとも２箇所を、閉じ合わせる（seam）手段である。閉じ合わせ手段には、恒常的に閉じ合わせる手段（恒常的にその２箇所が閉じ合わされているように、例えば、縫い合わせや接着のような、通常の使用状態においては、その閉じ合わせを開くことができない閉じ合わせ）が含まれてもよいし、一時的に閉じ合わせる手段（例えば、ボタンとホール、スナップ・ファスナー、ジッパー、ベルトや紐による締結などのように、ユーザがその閉じ合わせを開いたり再び閉じ合わせたりすることができる閉じ合わせ）が含まれてもよい。
【００３９】
恒常的な閉じ合わせ手段は、衣服本体が扁平に折り畳まれた状態で接触し合う（つまり、重なり合う、又は隣接し合う）という位置関係にある、衣服本体の２箇所に設けられて、それらの箇所を閉じ合わせる。このため、衣服本体は、その恒常的な閉じ目を維持したままで、扁平に折り畳むことが可能である。他方、一時的に閉じ合わせる手段は、衣服本体の上記位置関係にある２箇所に設けられてもよいし、あるいは、上記位置関係にない（つまり、衣服本体が扁平に折り畳まれた状態では相互間に間隔を空けて位置する）２箇所に設けられて、それらの箇所を相互に閉じ合わせるようになっていてもよい。一時的な閉じ合わせ手段が上記位置関係にない２個所に設けられた場合には、その衣服を収納する時に、その閉じ合わせ手段による閉じ合わせを解除すれば、その衣服本体を扁平に折り畳むことが可能となる。
【００４０】
また、切開口は、各シートの服地の適宜箇所を切開することで形成された、人体の所定部分（例えば、頭、腕、脚、腰など）を貫通させるための開口である。切開口は、例えば、或る折り線に沿った切れ目でもよいし、折り線ではない或る直線又は曲線に沿った切れ目でもよいし、又は、円形あるいは多角形のような二次元形状の穴であってもよい。
【００４１】
さらに、衣服本体の各シートの服地は、好ましくは、複数の折り線により画成された異なる多角形パターン上にそれぞれ存在する複数箇所を、互いに接触するように結合する、所定の結合手段を有することができる。それにより、その衣服の着用時に、その衣服本体の多数の折り線での折れが完全に開いてしまわない（つまり、折れ角度が１８０度にまで完全には開かない）ようになっている。その結果、その衣服の着用時に、その衣服本体の多数の折れが提供するその衣服本体の外観の凹凸デザインが維持される。また、その衣服の着用時、その衣服本体が折れ線に沿って或る程度折れている状態にあるから、その衣服の３次元の形状やサイズが容易に変化でき、その結果、その衣服を着ている人体の様々な運動を楽に許容できる。
【００４２】
ここで、上記所定の結合手段は、恒常的な結合手段（恒常的にそれら複数箇所が結合されているように、例えば縫い合わせ又は接着のような、その結合を解除することが困難な結合）であっても、あるいは、一時的な結合手段（例えばボタンとボタンホール、スナップ・ファスナー、ジッパー、紐やベルトによる結合のように、その結合を解除することが容易である結合）であってもよい。恒常的な結合手段を採用する場合は、その結合手段により結合される上記少なくとも２箇所は、衣服本体が扁平に折り畳まれたときに互いに接触し合う（つまり、重なり合う、又は隣接し合う）という相互位置関係の条件を満たす必要がある。他方、一時的な結合手段を採用する場合は、その結合手段は、その結合手段により結合される上記少なくとも２箇所は、上記の相互位置関係の条件を満たしても、満たさなくてよい。いずれの場合でも、常に衣服本体は扁平に折り畳むことができる。
【００４３】
本発明の実施形態に従う衣服の衣服本体は、好ましくは、上記多数の折り線での折れ角度の変化（つまり、折れが深くなったり、浅くなったりすること）により、或る方向へ（他の方向と比較して）比較的容易に伸縮することができる。この衣服本体の比較的容易な伸縮の方向は、その衣服の着用時に、人体の関節運動による変形を受け入れるために衣服が伸縮すべき方向と一致するように、選ばれている。つまり、その衣服本体の多数の折り線の配置は、その衣服本体が上記伸縮すべき方向に比較的容易に伸縮可能になるように設定されている。その典型的な例として、次のように折れ線を配置することができる。すなわち、その衣服を外側から見たときの谷折れ線（人体の方へ凹んでいる折れ線）のすべてが、上記伸縮すべき方向に対して交差する方向にある（換言すれば、上記伸縮すべき方向と同じ方向ではない）。
【００４４】
例えば、後述されるワンピース・ドレス１００の実施例の場合（図１〜３参照）、そのワンピース・ドレス１００は、人体の腰椎関節でのウエストの曲げ運動及び股関節での大腿のスウィング運動を受け入れる必要がある。そのためには、そのワンピース・ドレス１００は、少なくともウエストからスカートの部分において、上下方向に伸縮する必要がある。そこで、そのワンピース・ドレス１００の衣服本体１０１の多数の折り線は、そこでの折れ角度の変化によりその衣服本体１０１が上下方向に比較的容易に伸縮するように、配置されている。図３から分かるように、全ての谷折れ線（破線で示される）は、上下方向に対して交差した方向である。あるいは、後述される短丈のジャケット（ボレロ風ジャケット）２００の実施例の場合（図４〜６参照）、そのジャケット２００は、人体の肩関節での上腕のスウィング運動を受け入れる必要がある。そのためには、そのジャケット２００は、少なくとも肩周辺の部分において、水平（左右）方向に伸縮する必要がある。そこで、そのジャケット２００の衣服本体２０１の多数の折り線は、そこでの折れ角度の変化によりその衣服本体２０１が水平方向に比較的容易に伸縮するように、配置されている。図６から分かるように、全ての谷折れ線（破線で示される）は、水平方向に対して交差した方向である。
【００４５】
本実施形態にかかる衣服は、着用時には、衣服本体の多数の折り線により形成される衣服本体の表面の凹凸が、衣服の外観デザインを提供する。本実施形態にかかる衣服は、非着用時には衣服本体の多数の折り線に沿って扁平に折り畳むことができるので、その収容のためのスペースが小さくてすみ、持ち運びも容易である。収容時の衣服の折り畳みに使われる折り線と、着用時の衣服の外観の凹凸デザインを形成するための折り線とが同じであるから、従来の衣服のように折り畳みでできた服地の折れ目が着用時の衣服の外観デザインを損なうという問題がない。さらに、この多数の折り線が形成されたシート（服地）自体は、前述したように、所謂「立体折り紙」としての形状を有する。このため、衣服が扁平に折り畳まれたとき（収納時）にもまた、非常に優れた外観デザインを提供する。
【００４６】
本実施形態にかかる衣服によれば、各シートの服地の形状、サイズ、及び／又は多数の折り線の配置を変えることで、様々な異なる外観デザインをもった衣服を設計できる。１シート、２シート又は多くても数シートの服地を折ることで衣服本体が作られるので、衣服の製造工程が簡素化される。
【００４７】
上述した本実施形態にかかる衣服の複数の実施例を説明する。
＜第１実施例＞
【００４８】
図１〜図３は、本実施形態にかかる１シートの服地から作られるワンピース・ドレスを示す。図１は、そのワンピース・ドレス１００の衣服本体を展開した状態を示す平面図である。図２は、そのワンピース・ドレス１００を扁平に折り畳んだ状態を示す平面図である。図３は、そのワンピース・ドレス１００の着用時の状態を示す正面図である。
【００４９】
衣服としてのワンピース・ドレス１００は、１つの衣服本体１０１と、衣服本体１０１を身体の肩から吊るための衣服本体１０１に取り付けられた２本のストラップ１０２ａと、この２本のストラップを衣服本体１０１に留めるための１組のスナップ１０２ｂとを備える。衣服本体１０１は、１シートの服地１０３から作られる。その服地は１０３は、図１から分かるように、その面積の全体に行列状に（つまり、二次元に）配列された多数の多角形パターン１０５を画成する多数の恒常的な折り線１０７、１０９を有する。図中、実線で示された折り線１０７は、ワンピース・ドレス１００を外側から見た場合の山折り線（外へ向けて出っ張っている折れ線）であり、破線で示された折り線１０９は、谷折り線（内へ向けて凹んでいる折れ線）である。
【００５０】
従来の一般的な衣服の衣服本体は、例えば前身頃、後身頃及び左右の袖等のような、人体の対応部分の形状に合わせて曲線的な形状に裁断された多数シートの服地が、相互に縫製されることで作られる。それら多数シートの服地の形状が、衣服の形状を人体の曲線的な形状やその変化に適合させる。これに対し、この実施例にかかる衣服（ワンピース・ドレス１００）の衣服本体１０１は、恒常的な折り線１０７、１０９で画成された多数の多角形パターン１０５をもつ１シートの服地１０３で作られる。それらの多角形パターン１０５は、人体の対応部分の形状に合わせた曲線的な形状ではなく、複数の直線的な折り線１０７、１０９で画成された、例えば三角形や四角形などの単純幾何学形状である。衣服本体１０１では、服地１０３それ自体又は多角形パターン１０５それ自体の形状ではなく、多数の多角形パターン１０５間の折れ具合とその変化が、衣服（ワンピース・ドレス１００）の形状を人体の曲線的形状やその変化に適合させるという機能を提供する。
【００５１】
服地１０３の多角形パターン１０５を画成する多数の折り線１０７、１０９は、これら多数の折り線１０７、１０９に沿って、１シートの服地１０３が扁平に折り畳まれることを可能とする公知の幾何学的条件を満たす。加えて、これら折り線１０７、１０９での服地１０３の折れをある程度開いたときにその服地１０３が立体形状になるための別の公知の幾何学的条件も満たす。この服地１０３からなる衣服本体１０１は、扁平に折り畳まれた状態のときにも、非常に高いデザイン性を有する（この点については、本実施例でのみ以下に具体的に説明するが、他の実施例についても同様である。）。図２は、図１の衣服本体１０１が扁平に折り畳まれた状態である。この衣服本体１０１は、所定の一方向（図３における上下方向）に、捩られながら折り畳み可能（伸縮可能）となる。
【００５２】
服地１０３の恒常的な折り線１０７、１０９は、例えば、服地１０３の素材が熱可塑性を有するポリエステルなどの化学繊維である場合には、服地１０３を折り線１０７、１０９で折った状態で熱プレスを加えるというような熱処理加工によって形成することができる。あるいは、恒常的な折り線１０７、１０９は、折り線１０７、１０９に沿ったステッチ、又はその他の方法によって形成することもできる。
【００５３】
衣服本体１０１は、その服地１０３上に、上述した恒常的な閉じ合わせ手段である縫合部１１１を有する（図１参照）。縫合部１１１は、服地１０３上の異なる辺縁上の２箇所（参照番号１１１で示される）の縫い合わせである。これにより、衣服本体１０１は、人体のウエストから脚部を貫通させる２つの開口を有するチューブを形成する。そして、衣服本体１０１が、ワンピース・ドレス１００としての立体形状となる。
【００５４】
縫合部１１１により縫合される上記２箇所（参照番号１１１で示される）は、服地１０３が扁平に折り畳まれた状態で接触し合う位置に配置されている。従って、衣服本体１０１は、図２に示すように、常に扁平に折り畳むことが可能となる。なお、図１において、服地１０３の縫合部１１１の上方に形成された２組のスナップ１１３ａ、１１３ｂは、上述した一時的な閉じ合わせ手段として、縫合部１１１を補助する機能を有する。これらスナップ１１３ａ、１１３ｂは、収納時には解除されてもよい。変形例として、縫合部１１１に代えて、上述した一時的な閉じ合わせ手段としてのボタンとホール、スナップ・ファスナー又はジッパー等を用いてもよい。
【００５５】
衣服本体１０１は、着用時（図３参照）には、多角形パターン１０５を画成する折り線１０７、１０９により、ウエストの曲げ運動及び大腿のスウィング運動を受け入れるように伸縮可能となる。特に、谷折れ線１０９のすべてが上下方向に交差する方向であるため、衣服本体１０１は上下方向に比較的容易に伸縮可能である。また、関節部分の動きに合わせた衣服本体１０１の外形の変化によってワンピース・ドレス１００の外観のデザイン性を高めることができる。
【００５６】
衣服本体１０１は、その服地１０３上に、上述した恒常的な結合手段としての複数の括り合わせ部１１５ａ、１１５ｂ、１１５ｃ、１１５ｄ、１１５ｅ、１１５ｆを有する。括り合わせ部１１５ａ〜１１５ｆの各々は、衣服本体１０１の異なる多角形パターン上にそれぞれ存在する複数箇所同士を、互いに接触するよう、それらを縫い合わせることで結合する（例えば、括り合わせ部１１５ａは、図１に参照番号１１５ａで指示される４つの箇所を相互に結合し、また、括り合わせ部１１５ｂは、図１に参照番号１１５ｂで指示される２つの箇所を相互に結合する）。それにより、衣服本体１０１を扁平に折り畳むための折り線１０７、１０９に沿った服地１０３の折れが、着用時にも完全に開いてしまわずに維持されるように形成される。図示例にあっては、衣服本体１０１の胸囲及びウエスト部周辺の異なる位置に配置された複数の括り合わせ部１１５ａ〜１１５ｆがある。括り合わせ部１１５ａ〜１１５ｆの各々により相互に結合される複数個所（例えば、括り合わせ部１１５ａの場合、図１に参照番号１１５ａで指示される４つの箇所）は、服地１０３を扁平に折り畳んだときに接触し合う（つまり、重なり合う、又は隣接し合う）位置に存在する。そのため、衣服（ワンピース・ドレス１００）の収納時には、括り合わせ部１１５ａ〜１１５ｆによる結合を維持したままで、衣服（ワンピース・ドレス１００）を扁平に折り畳むことができる。この実施例では、括り合わせ部１１５ａ〜１１５ｆは、縫合するという恒常的な結合手段であるが、変形例として、括り合わせ部１１５ａ〜１１５ｆに代えてファスナー、スナップ等の一時的な結合手段を用いてもよい。
【００５７】
前述したように、ワンピース・ドレス１００の外観デザインは、衣服本体１０１の表面の全体に行列状に（つまり、二次元に）配列された多角形パターン１０５に対応した凹凸によって、ワンピース・ドレス１００の外観の視覚的アピールに貢献する。そしてこの際、結合手段（括り合わせ部１１５ａ〜１１５ｆ）によって、衣服本体１０１の折れを着用時に維持することで、衣服本体１０１を人体の形状に適した形状にできる。さらには、人の動きに応じてワンピース・ドレス１００の形状が柔軟に変化させることもできる。
【００５８】
また、このワンピース・ドレス１００の衣服本体１０１は、扁平に折り畳まれた状態においても、通常のワンピース・ドレスとは異なり、高いデザイン性を備えたものとなる。例えば、折り線１０７、１０９に沿って服地１０３を折り畳むことにより、扁平に折り畳まれた衣服本体１０１の表面（図２に示すように、扁平に折り畳まれた状態での表面）に、重ね合わされた多角形パターン１０５の一部が露出される。これにより、扁平に折り畳まれた状態での衣服本体１０１それ自体が図２に示すような幾何学形状を有する、高いデザイン性を備えることとなる。
【００５９】
次に、上述した衣服（ワンピース・ドレス１００）に施された、色彩又は模様の一例について説明する。
【００６０】
図４に示すように、衣服本体１０１の全体表面のうち、衣服本体１０１が、扁平に折り畳まれた状態で外部に露出しているその表面部分に、それ以外の部分とは異なる所定の色彩又は模様が施される。
【００６１】
このワンピース・ドレス１００の着用時には、図５に示すように、上記所定の色彩又は模様が施された部分（グレーで示される）が、ワンピース・ドレス１００の表面上に、あるパターンで分散して表示され、このパターンは、ユーザにとり、図に示されたような扁平な折り畳み状態からは容易に予測しがたい面白みをもつ。このように、着用時のワンピース・ドレス１００は、色彩又は模様が、面白みのあるパターンで分散するため、図示例のような、独特なデザイン性を備える。また、上述したように、収納時（扁平に折り畳まれた状態）には、その外部に露出している部分全体に色彩又は模様が施されるため、着用時の場合とはまた異なった、独特なデザイン性を備える。なお、この色彩又は模様は、例えば、染料の塗布、シートの熱転写等の方法で行われる。
【００６２】
次に、衣服（ワンピース・ドレス１００）に施された、色彩又は模様の変形例について説明する。
【００６３】
本変形例では、服地１０３は、多数の恒常的な折り線１０７、１０９の位置を視覚的に表示する（人がそれを視覚的に識別することを可能にする)或る色彩をもった模様を備える。以下、図１及び図３を用いて説明する。例えば、図１に示す展開図と同様に、服地１０３には、山折り線１０７の位置に、その服地１０３の地色とは異なる或る色彩をもつ線模様、例えば実線の模様が描かれ、谷折線１０９の位置には、その服地１０３の地色とは異なる或る色彩をもつ線模様、例えば破線の模様が描かれる。折り線１０７、１０９の位置に上記実線と破線の模様を施す作業は、衣服（ワンピース・ドレス１００）の製造過程において、服地１０３に折り線１０７、１０９を形成するより前に実行されることが好ましい。このようにすれば、図３に示すように、服地１０３上の折り線１０７、１０９の位置が、上記の実線と破線の模様により視認可能であり、ワンピース・ドレス１００を製造する人々にとり、服地１０３の何処に折り線１０７、１０９を形成すべきなのかを容易に理解できる。このため、ワンピース・ドレス１００を製造する際には、服地１０３を上記実線と破線の模様とに沿って折る（実線模様に沿って山折りし、破線模様に沿って谷折りする）ことで、恒常的な折り線１０７、１０９が正しい位置に形成されて、ワンピース・ドレス１００としての正しい形状が形成されることとなる。加えて、折り線１０７、１０９に沿った上記実線と破線の模様が、ワンピース・ドレス１００の外観デザインの構成要素になる。なお、折り線１０７、１０９の位置に施された模様のバリエーションは、上記したような山折り線１０７に沿った実線模様と谷折線１０９に沿った破線模様だけに限られず、多種多様であり得る。
【００６４】
また、図示はしないが、衣服（ワンピース・ドレス１００）に施された、色彩又は模様の他の変形例の一つを以下に説明する。すなわち、服地１０３の全面に存在する、折り線１０７、１０９によって画成された多数の多角形パターン１０５の領域に、次の条件を満たすように、異なる色彩又は模様が施される。その条件とは、互いに隣接する多角形パターン１０５が互いに異なる色彩又は模様をもつことである。この色彩又は模様を施す作業も、衣服（ワンピース・ドレス１００）の製造過程において、服地１０３に折り線１０７、１０９を形成するより前に実行されることが好ましい。このようにすれば、折り線１０７、１０９の位置が、それぞれ異なる色彩又は模様が施された互いに隣接する多角形パターン１０５の境界線として、明確に視認可能である。そして、その境界線に沿って服地１０３を折ることで、正しい位置に折り線１０７、１０９が形成され、ワンピース・ドレス１００としての正しい形状が形成されることとなる。加えて、異なる色彩又は模様で塗り分けられた多角形パターン１０５が、ワンピース・ドレス１００の外観デザインの構成要素となる。
【００６５】
衣服本体１０１の全体表面のうち、衣服本体１０１が、扁平に折り畳まれた状態で外部に露出しているその表面部分に施された色彩又は模様、若しくは、折り線１０７、１０９を表示するように衣服に施された色彩又は模様については、本実施例のワンピース・ドレス１００だけでなく、以下に説明する他の実施例を含む、本発明に従うあらゆる衣服に適用可能である。
＜第２実施例＞
【００６６】
図６〜図８は、本実施形態にかかる２シートの服地から作られる短尺のジャケットを示す。図６は、そのジャケット２００の衣服本体２０１を展開した状態を示す平面図である。図７は、そのジャケット２００を扁平に折り畳んだ状態を示す平面図である。図８は、そのジャケット２００の着用時の状態を示す正面図である。
【００６７】
衣服としてのジャケット２００は、１つの衣服本体２０１を備える。衣服本体２０１は、２シートの服地２０３ａ、２０３ｂから作られる。
【００６８】
各シートの服地２０３ａ、２０３ｂは、それぞれ、図６に示すように、その面積の全体に行列状（つまり、二次元）に配列された多数の多角形パターン２０５を画成する多数の恒常的な折り線（山折り線２０７、谷折り線２０９）を有する。なお、本実施例の各シートの服地２０３ａ、２０３ｂの多角形パターン２０５の形状は、第１実施例と同じか又は相似である。
【００６９】
衣服本体２０１は、図６に示すように、各シートの服地２０３ａ、２０３ｂ上に、恒常的な閉じ合わせ手段である縫合部２１１ａ、２１１ｂをそれぞれ有する。縫合部２１１ａ、２１１ｂは、各々、同符号を付した２箇所同士の縫い合わせである。服地２０３ａ、２０３ｂは、それぞれ、人体の右腕部分及び左腕部分が貫通される立体のチューブを形成する。各縫合部２１１ａ、２１１ｂにより縫合される各々２箇所は、服地２０３ａ、２０３ｂそれぞれが扁平に折り畳まれた状態で接触し合う位置に配置されている。従って、衣服本体２０１は、図７に示すように、常に扁平に折り畳むことが可能となる。
【００７０】
また、２枚の服地２０３ａ、２０３ｂは、図６の継合わせ位置２１３で、相互に継合わされる（図７及び８の例では縫合されている）。これにより、右腕部分の服地２０３ｂ及び左腕部分の服地２０３ａが連結されて、図８に示すように、衣服本体２０１はジャケット２００としての立体形状となる。
【００７１】
この衣服本体２０１は、服地２０３ａ、２０３ｂに形成された折り線２０７、２０９により図６及び図８の左右方向(腕の軸方向)に捩られながら伸縮可能である。そして、２シートの服地２０３ａ、２０３ｂそれぞれが、折り線２０７、２０９に沿って扁平に折り畳まれることにより、衣服本体２０１が収納可能となる。図７に示す、扁平に折り畳まれた衣服本体２０１は、扁平に折り畳まれた、右腕部分の服地２０３ｂ及び左腕部分の服地２０３ａを、並べて配置した形状となる。扁平に折り畳まれた衣服本体２０１は、それ自体が図７に示すような幾何学形状を有する、高いデザイン性を備えることとなる。
【００７２】
衣服本体２０１は、結合手段として複数の括り合わせ部を有する。括り合わせ部２１５ａ、２１５ｂ、２１５ｃ、２１５ｄ、２１５ｅ、２１６ａ、２１６ｂ、２１６ｃ、２１６ｄ、２１６ｅは、衣服本体２０１の異なる多角形パターン２０５上にそれぞれ存在する複数箇所同士（同符号が付された縫合線）を、互いに接触するように縫い合わせている。括り合わせ部２１５ａ〜２１５ｅ、２１６ａ〜２１６ｅは、衣服本体２０１の肩周辺及び胸囲周辺の適宜位置に、それぞれ配置される。これにより、衣服本体２０１は、その着用時に、折り線２０７、２０９の折りが開ききることなく、肩周辺及び胸部周辺に、肩先のライン及び胸の凹凸等を強調させた、ジャケット２００にふさわしい外観デザインとなる。
【００７３】
また、括り合わせ部２１５ａ〜２１５ｅ、２１６ａ〜２１６ｅそれぞれの、相互に結合される複数個所（例えば、括り合わせ部２１５ａの場合、図６に参照番号２１５ａで指示される３箇所、また、括り合わせ部２１６ａの場合、図６に参照番号２１６ａで指示される３箇所、）は、各々、服地２０３ａを扁平に折り畳んだときに接触し合う（つまり、重なり合う、又は隣接し合う）位置に存在する。そのため、ジャケット２００の収納時には、括り合わせ部２１５ａ〜２１５ｅ、２１６ａ〜２１６ｅによる結合を維持したままで、各シートの服地２０３ａ、２０３ｂそれぞれが、扁平に折り畳まれ、その結果、ジャケット２００を扁平に折り畳むことができる。
【００７４】
本実施例の衣服本体２０１は、少なくとも肩周辺の部分において、肩関節の動きを受け入れるように、水平(左右)方向に伸縮可能となる。特に、衣服本体２０１の谷折れ線が、水平(左右)方向に交差する方向であるため、衣服本体２０１は水平(左右)方向に比較的容易に伸縮可能である。また、衣服本体２０１の外形の変化によって、ジャケット２００の外観のデザイン性を高めることができる。
【００７５】
なお、各シートの服地２０３ａ、２０３ｂは、図示例のように、一時的な閉じ合わせ手段として、開閉自在な前ひも２０２ａ、２０２ｂを有してもよい。この場合、前ひも２０２ａ、２０２ｂは、衣服本体２０１を扁平に折り畳んだときに、重ならない位置に取り付けられている。このため、前ひも２０２ａ、２０２ｂは、衣服本体２０１を収納する際は解除されて、衣服本体２０１を扁平に折り畳むことを可能にしている。
＜第３実施例＞
【００７６】
図９〜図１１は、本実施形態にかかる１シートの服地から作られる半袖のシャツを示す。図９は、そのシャツ３００の衣服本体３０１を展開した状態を示す平面図である。図１０は、そのシャツ３００を扁平に折り畳んだ状態を示す平面図である。図１１は、そのシャツ３００の着用時の状態を示す正面図である。
【００７７】
衣服としてのシャツ３００は、１つの衣服本体３０１と、ウエストラインを絞るためのひも３０２とを備える。衣服本体３０１は、１シートの服地３０３から作られる。その服地３０３は、図９に示すような多角形パターン３０５を画成する多数の恒常的な折り線（山折り線３０７、谷折り線３０９）を有する。
【００７８】
図９に示すように、服地３０３には、襟口となる切開口３１７が形成される。切開口３１７は、服地３０３をその略中央に位置する山折り線３０７及び谷折り線３０９に沿って裁断して形成される。切開口３１７には、周知の衣服と同様の見返し（補強布）が取り付けられる。
【００７９】
また、図示例にあっては、衣服本体３０１は、その側部（脇腹周辺）に、恒常的な閉じ合わせ手段としての、複数（左右の脇腹周辺に１つずつ）の縫合部３１１ａ、３１１ｂを有する。縫合部３１１ａ、３１１ｂは、服地３０３上の同符号を付した２箇所それぞれの縫い合わせである。服地３０３には、縫合部３１１ａ、３１１ｂの内側（図９中、前後方向の中心側）に位置して、一時的な閉じ合わせ手段としての１組のスナップ３１１ｃ、３１１ｄが取り付けられる。１組のスナップ３１１ｃ、３１１ｄは、それぞれ、縫合部３１１ａ、３１１ｂの補助的機能を備える。これら縫合部３１１ａ、３１１ｂ及びスナップ３１１ｃ、３１１ｄにより、衣服本体３０１は、襟口の他に、ウエスト周りを貫通させる開口及び袖口を備えた、シャツ３００としての立体形状となる。縫合部３１１ａ、３１１ｂ及びスナップ３１１ｃ、３１１ｄは、服地３０３が扁平に折り畳まれた状態で接触し合う位置に形成される。従って、衣服本体３０１は、図１０に示すように、常に扁平に折り畳むことができる。なお、スナップ３１１ｃ、３１１ｄは、服地３０３が扁平に折り畳まれる際には、解除されてもよい。
【００８０】
服地３０３に折り線３０７、３０９が形成されていることにより、衣服本体３０１は、首元から肩にかけて（図９及び図１１の左右方向に）、直線状に伸縮可能である。、服地３０３が折り線３０７、３０９に沿って扁平に折り畳まれることで、衣服本体３０１は収納可能となる。扁平に折り畳まれた状態での衣服本体３０１は、それ自体が図１０に示すような幾何学形状を有する、高いデザイン性を備える。
【００８１】
図９の、衣服本体３０１は、人体の前側及び後ろ側に、恒常的な結合手段としての複数の括り合わせ部３１３ａ、３１３ｂ、３１３ｃ、３１３ｄ、３１３ｅ、３１３ｆ、３１３ｇを有する。括り合わせ部３１３ａ〜３１３ｇは、衣服本体３０１の異なる多角形パターン３０５上にそれぞれ存在する複数箇所同士（同符号が付された縫合線）を、互いに重ね合わせた縫い合わせである。衣服本体３０１に、これら括り合わせ部３１３ａ〜３１３ｇを備えたことによって、着用時にも、折り線３０７、３０９の折りが開ききることなく、肩、袖及び胸囲周囲に凹凸が維持され、シャツ３００独自の立体感のある外観デザインとなる。
【００８２】
本実施例の衣服本体３０１は、服地３０３に形成された折り線３０７、３０９により、水平(左右)方向に伸縮可能に形成されている。従って、衣服本体３０１は、少なくとも肩周辺の部分において、肩関節の動きを受け入れるように伸縮可能となる。特に、衣服本体３０１の谷折れ線３０９のすべては、水平(左右)方向に交差する方向であるため、衣服本体３０１は、水平(左右)方向に比較的容易に伸縮可能である。また、衣服本体３０１の外形の変化によって、シャツ３００の外観のデザイン性を高めることができる。
【００８３】
＜第４実施例＞
【００８４】
図１２〜図１４は、本実施形態にかかる１シートの服地から作られるミニスカートを示す。図１２は、そのスカート４００の衣服本体４０１を展開した状態を示す平面図である。図１３は、そのスカート４００を扁平に折り畳んだ状態を示す平面図である。図１４は、そのスカート４００の着用時の状態を示す正面図である。
【００８５】
衣服としてのスカート４００は、１つの衣服本体４０１を備える。衣服本体４０１は１シートの服地４０３から作られる。この服地４０３の多角形パターン４０５の形状は、実質的に第３実施例と同じか又は相似である。この服地４０３の多角形パターン４０５を画成する折り線を、山折り線４０７、谷折り線４０９と表す。
【００８６】
図１２に示すように、服地４０３には、人体のウエスト部分を貫通させる切開口４１７が形成される。切開口４１７は、服地４０３の略中央位置に形成される。切開口４１７は、図１２の左右方向に（折り線４０７、４０９に交差するように）裁断して形成される。切開口４１７には、見返し（補強布）が取り付けられる。
【００８７】
衣服本体４０１は、その服地４０３の側部（脇腹周辺）に、恒常的な閉じ合わせ手段である複数の縫合部４１１ａ、４１１ｂを有する。これら縫合部４１１ａ、４１１ｂは、同符号が付されたの縫合線各々の縫い合わせである。上述した切開口４１７及び縫合部４１１ａ、４１１ｂにより、衣服本体４０１は、ウエストから脚へかけて貫通される２つの開口を備えた、スカート４００としての立体形状となる。なお、縫合部４１１ａ、４１１ｂは、服地４０３が扁平に折り畳まれた状態で重なりあう位置に形成される。
【００８８】
服地４０３が折り線４０７、４０９を有することにより、衣服本体４０１は、図１２及び図１４の水平（左右）方向に、直線状に伸縮可能である。そして、服地４０３が、折り線４０７、４０９に沿って扁平に折り畳まれることで、衣服本体４０１が収納可能となる。扁平に折り畳まれた状態での衣服本体４０１は、それ自体が図１３に示すような幾何学形状を有する、高いデザイン性を備えることとなる。
【００８９】
なお、服地４０３は、切開口４１７の左右両端部に、ウエストサイズに合わせて切開口４１７の大きさを調整するための１組ずつのスナップ４１９ａ、４１９ｂを有する。
【００９０】
さらに、衣服本体４０１は、図示されるように、恒常的な結合手段である括り合わせ部４１５ａ、４１５ｂ、４１５ｃ、４１５ｄ、４１５ｅ、４１５ｆ、４１５ｇ、４１５ｈ、４１５ｉ、４１５ｊ、４１５ｋ、４１５ｌを有する。括り合わせ部４１５ａ〜４１５ｌは、同符号が付された複数箇所の縫合線同士を、それぞれ、重ね合わせた状態で縫合する。括り合わせ部４１５ａ〜４１５ｌによって、衣服本体４０１は、着用時にも、折り線４０７、４０９の折れが開ききることなく、２段のフレアスカート４００としての外観デザインとなる。
【００９１】
＜第５実施例＞
【００９２】
図１５〜図１７は、本実施形態にかかる１シートの服地から作られるノースリーブのシャツを示す。図１５は、そのシャツ５００の衣服本体５０１を展開した状態を示す平面図である。図１６は、そのシャツ５００を扁平に折り畳んだ状態を示す平面図である。図１７は、そのシャツ５００の着用時の状態を示す正面図である。
【００９３】
衣服としてのシャツ５００は、１つの衣服本体５０１を備える。衣服本体５０１は、１シートの服地５０３から作られる。その服地５０３は、図１５に示すような多角形パターン５０５を画成する多数の恒常的な折り線（山折り線５０７、谷折り線５０９）を有する。
【００９４】
衣服本体５０１は、その服地５０３上に、閉じ合わせ手段である縫合部５１１を有する（図１５参照）。縫合部５１１は、同符号が付された縫合線各々の縫い合わせである。図示例では、縫合線は服地５０３の左右両端に位置する。縫合部５１１により、衣服本体５０１は、人体の胴部を貫通させるチューブを形成する。縫合部５１１は、服地５０３が扁平に折り畳まれた状態で接触し合う位置に配置されている。
【００９５】
また、服地５０３には、左右の腕部をそれぞれ貫通させる袖口となる、切開口５１７ａ、５１７ｂが形成される。切開口５１７ａ、５１７ｂは、他の実施例と同様、服地５０３の所定位置をそれぞれ裁断して形成され、見返し（補強布）が取り付けられる。
【００９６】
服地５０３に折り線５０７、５０９が形成されていることにより、衣服本体５０１は、人体の胴部の軸方向（図１５及び図１７の上下方向）に、捩られながら伸縮可能である。そして、服地５０３が、折り線５０７、５０９に沿って扁平に折り畳まれることで、衣服本体５０１が収納可能となる。扁平に折り畳まれた状態での衣服本体５０１は、それ自体が図１６に示すような幾何学形状を有する、高いデザイン性を備えることとなる。
【００９７】
衣服本体５０１は、襟口及びウエストの周囲に、恒常的な結合手段としての複数の括り合わせ部５１５ａ、５１５ｂ、５１５ｃ、５１５ｄ、５１５ｅ、５１５ｆ、５１５ｇ、５１５ｈ、５１５ｉ、５１５ｊ、５１５ｋ、５１５ｌを有する。括り合わせ部５１５ａ〜５１５ｌは、同符号が付された複数箇所の縫合線同士を、それぞれ重ね合わせた縫い合わせである。これら括り合わせ部５１５ａ〜５１５ｌを備えたことにより、衣服本体５０１は、着用時にも、折り線５０７、５０９の折れが開ききることなく、襟口及びウエストの周囲が絞られた、シャツ５００独自の立体感のある外観デザインとなる。
【００９８】
本実施例の衣服本体５０１は、服地５０３に形成された折り線５０７、５０９により、上半身の動きを受け入れるように伸縮可能となる。特に、衣服本体５０１の谷折れ線５０９のすべては、上半身の軸方向に交差する方向に形成されているため、衣服本体５０１は上半身の軸方向に比較的容易に伸縮可能となる。
＜第６実施例＞
【００９９】
図１８〜図２０は、本実施形態にかかる１シートの服地から作られるミニスカートを示す。図１８は、そのスカート６００の衣服本体６０１を展開した状態を示す平面図である。図１９は、そのスカート６００を扁平に折り畳んだ状態を示す平面図である。図２０は、そのスカート６００の着用時の状態を示す正面図である。
【０１００】
衣服としてのスカート６００は、１つの衣服本体６０１を備える。衣服本体６０１は、１シートの服地６０３から作られる。その服地６０３は、図１８に示すような多角形パターン６０５を画成する多数の恒常的な折り線（山折り線６０７、谷折り線６０９）を有する。
【０１０１】
衣服本体６０１は、その服地６０３上に、恒常的な閉じ合わせ手段である縫合部６１１を有する（図１８参照）。縫合部６１１は、同符号が付されたの縫合線を、各々縫い合わせることである。図１８に示す縫合線は、服地の左右両端に位置する。これにより、衣服本体６０１は、人体の胴部を貫通させるチューブを形成する。縫合部６１１は、服地６０３が扁平に折り畳まれた状態で重なりあう位置に配置される。
【０１０２】
服地６０３が、折り線６０７、６０９を有することにより、衣服本体６０１は、人体の胴部の軸方向（図１８及び図２０の上下方向）に、捩られながら伸縮可能である。そして、服地６０３が、折り線６０７、６０９に沿って扁平に折り畳まれることで、衣服本体６０１が収納可能となる。扁平に折り畳まれた状態での衣服本体６０１は、それ自体が図１９に示すような幾何学形状を有する、高いデザイン性を備えることとなる。
【０１０３】
衣服本体６０１は、図１８に示すように、ウエストラインに沿って適宜間隔をあけて、複数の括り合わせ部６１５ａ、６１５ｂ、６１５ｃ、６１５ｄ、６１５ｅ、６１５ｆ、６１５ｇ、６１５ｈ、６１５ｉ、６１５ｊ、６１５ｋ、６１５ｌ、６１５ｍ、６１５ｎ、６１５ｏ、６１５ｐを有する。括り合わせ部６１５ａ〜６１５ｐは、同符号が付された複数箇所の縫合線同士を、それぞれ接触させて縫合する。
【０１０４】
さらに、本実施例にあっては、服地６０３は、ベルトＢを通す、複数のベルトループ６２０を備える。ベルトループ６２０は、図１８に示すように、前記括り合わせ部６１５ａ〜６１５ｐを縫合する際に、併せて取り付けられる。ウエスト周囲に括り合わせ部６１５ａ〜６１５ｐを設けることによって、衣服本体６０１は、着用時にも、折り線６０７、６０９の折れが開ききることなく、ウエストを絞られ裾が広がる（フレア）スカート６００としての立体形状となる。なお、ベルトループ６２０及びベルトＢは、衣服本体６０１のウエスト周囲のサイズを調整する機能を有する。
【０１０５】
本実施例の衣服本体６０１は、服地６０３に形成された折り線６０７、６０９により、ウエストから脚にかけての動きを受け入れるように伸縮可能となる。特に、衣服本体６０１の谷折れ線６０９のすべては、ウエストから脚への方向に交差する方向に形成されているため、衣服本体６０１はウエストから脚にかけて比較的容易に伸縮可能となる。
＜第７実施例＞
【０１０６】
図２１〜図２３は、本実施形態にかかる１シートの服地から作られるシャツを示す。図２１は、そのシャツ７００の衣服本体７０１を展開した状態を示す平面図である。図２２は、そのシャツ７００を扁平に折り畳んだ状態を示す平面図である。図２３は、そのシャツ７００の着用時の状態を示す正面図である。
【０１０７】
衣服としてのシャツ７００は、１つの衣服本体７０１を備える。衣服本体７０１は、１シートの服地７０３から作られる。その服地７０３は、図２１に示すような多角形パターン７０５を画成する多数の恒常的な折り線（山折り線７０７、谷折り線７０９）を有する。
【０１０８】
図２１に示すように、服地７０３には、襟口となる切開口７１７が形成される。切開口７１７は、服地７０３の略中央に、谷折り線７０９に沿って形成される。切開口７１７は、他の実施例と同様に、服地７０３を裁断して形成され、見返し（補強布）を取り付けられる。
【０１０９】
衣服本体７０１は、一時的に閉じ合わせ手段としての、右側スナップ７１１ａ、７１１ｂと、左側スナップ７１１ｃ、７１１ｄとを有する。衣服本体７０１は、その着用時には、それぞれ結合されたスナップ７１１ａ〜７１１ｄと、切開口７１７とを備えたことによって、人体の上半身を覆うシャツ７００としての立体形状となる。
【０１１０】
これら多数の折り線７０７、７０９が服地７０３に形成されていることにより、衣服本体７０１は、腕部の軸方向（図２１及び図２３の左右方向）に、直線状に伸縮可能である。そして、服地７０３が、折り線７０７、７０９に沿って扁平に折り畳まれることで、衣服本体７０１が収納可能となる。扁平に折り畳まれた状態での衣服本体７０１は、それ自体が図２２に示すような幾何学形状を有する、高いデザイン性を備えた衣服となる。なお、衣服本体７０１を折り畳んで収納する際には、スナップ７１１ａ〜７１１ｄそれぞれの結合が解除されるため、図２２に示すように、扁平な折り畳みが可能となる。
【０１１１】
衣服本体７０１は、図２１に示すように、服地７０３全体の適宜位置に、複数の括り合わせ部７１５ａ、７１５ｂ、７１５ｃ、７１５ｄ、７１５ｅ、７１５ｆ、７１５ｇ、７１５ｈ、７１５ｉ、７１５ｊを有する。括り合わせ部７１５ａ〜７１５ｊは、同符号が付された複数箇所の縫合線同士の縫い合わせである。これら括り合わせ部７１５ａ〜７１５ｊを備えたことによって、衣服本体７０１は、着用時にも、折り線７０７、７０９の折れが開ききることなく、肩、袖及び胸囲の周囲の凹凸が維持されてシャツ７００独自の立体感のある外観デザインとなる。また、この括り合わせ部７１５ａ〜７１５ｊによって、服地７０３の伸縮方向の折れが維持されるため、腕部のスウィング運動を許容できる。
【０１１２】
本実施例の衣服本体７０１は、服地７０３に形成された折り線７０７、７０９により、図２１及び図２３の左右方向に伸縮可能に形成されている。このため、この衣服本体７０１は、少なくても肩関節から腕の動きを受け入れるように伸縮可能となる。特に、衣服本体７０１の谷折れ線７０９のすべては、腕の軸方向に交差する方向であるため、衣服本体７０１は腕の軸方向に比較的容易に伸縮可能となる。
＜第８実施例＞
【０１１３】
図２４及び図２５は、本実施形態にかかる１シートの服地から作られるスカートを示す。図２４は、そのスカート８００の衣服本体８０１を展開した状態を示す平面図である。図２５は、そのスカート８００の着用時の状態を示す正面図である。
【０１１４】
衣服としてのスカート８００は、１つの衣服本体８０１を備える。衣服本体８０１は、１シートの服地８０３から作られる。この服地８０３の多角形パターン８０５の形状は、実質的に第７実施例と同じか又は相似である。この服地８０３の多角形パターン８０５を画成する折り線を、山折り線を８０７、谷折り線８０９と表す。
【０１１５】
図２４に示すように、服地８０３には、襟口となる切開口８１７が形成される。切開口８１７は、服地８０３の略中央位置に形成される。切開口８１７は、他の実施例と同様に、服地８０３を裁断して形成される。切開口８１７には、見返り（補強布）が取り付けられる。
【０１１６】
切開口８１７を備えたこによって、衣服本体８０１は、人体のウエストから脚を貫通するスカート８００としての立体形状となる。また、切開口８１７の周囲に、複数組のスナップ８１１ａ、８１１ｂ、８１１ｃ、８１１ｄ、８１１ｅ、８１１ｆ、８１１ｇ、８１１ｈを設けたことにより、衣服本体８０１のウエストの大きさは、調整可能となる。
【０１１７】
服地８０３に多数の折り線８０７、８０９が形成されることによって、衣服本体８０１は、図２４及び２５の上下方向に伸縮可能となる。そして、服地８０３が、折り線８０７、８０９に沿って扁平に折り畳まれることにより、衣服本体８０１は収納可能となる。扁平に折り畳まれた状態での衣服本体８０１は、それ自体が図２２に示すような幾何学形状を有する、高いデザイン性を備える。なお、この衣服本体８０１が扁平に折り畳まれた形状は、図２２に示す第７実施例と同様である（ただし、図中のスナップ７１１ａ、７１１ｂ除く。）。
【０１１８】
衣服本体８０１は、その服地８０３上の適宜位置に（図２４参照）、複数の括り合わせ部８１５ａ、８１５ｂ、８１５ｃ、８１５ｄを有する。この括り合わせ部８１５ａ〜８１５ｄにより、衣服本体８０１は、着用時にも、折り線８０７、８０９の折れが開ききることなく、複数の部分で、凹凸形状が維持されて立体感のある外観デザインとなる。
【０１１９】
本実施例の衣服本体８０１は、服地８０３に形成された折り線８０７、８０９により、ウエストから脚にかけてのの曲げ運動を受け入れるように伸縮可能となる。特に、衣服本体８０１の谷折れ線８０９のすべては、ウエストから脚にかけて方向に交差する方向であるため、衣服本体８０１はウエストから脚にかけての方向に比較的容易に伸縮可能となる。
＜第９実施例＞
【０１２０】
図２６〜図２８は、本実施形態にかかる２シートの服地から作られるシャツを示す。図２６は、そのシャツ９００の衣服本体９０１を展開した状態を示す平面図である。図２７は、そのシャツ９００を扁平に折り畳んだ状態を示す平面図である。図２８は、そのシャツ９００の着用時の状態を示す正面図である。
【０１２１】
衣服としてのシャツ９００は、１つの衣服本体９０１と、衣服本体９０１を肩から吊るすための２本の肩ひも９０２ａと、これら肩ひも９０２ａを衣服本体に固定する１組のスナップ９０２ｂとを備える。衣服本体９０１は、２シートの服地９０３ａ、９０３ｂから作られる。服地９０３ａ、９０３ｂには、それぞれ、図２６に示すような多角形パターン９０５を画成する多数の恒常的な折り線（山折り線９０７、谷折り線９０９）が形成される。
【０１２２】
２枚の服地９０３ａ、９０３ｂは、図２７の継合わせ位置（右脇腹部周辺の位置９１１ａ、及び、右肩部周辺の位置９１１ｂ）で、相互に継合わされる（図示例では縫合されている）。また、服地９０３ａ、９０３ｂは、人体の左脇腹部周辺に、２枚の服地９０３ａ、９０３ｂを互いに一時的に閉じ合わせる手段としての、複数のスナップ９１３ａ、９１３ｂ、９１３ｃを有する（図２６参照）。衣服本体９０１は、これら継合わせ位置９１１ａ、９１１ｂでの縫合、及びスナップ９１３ａ、９１３ｂ、９１３ｃによって、右側の袖口、及び、人体を貫通させる開口を備えたシャツ９００としての形状となる。
【０１２３】
継合わせ位置９１１ａ、９１１ｂで縫合されることにより、継ぎ合わされた２枚の服地９０３ａ、９０３ｂは、その中央に、山折り線９０７に囲まれた八角形パターン９０５ａが配置される。継ぎ合わされた２枚の服地９０３ａ、９０３ｂ（すなわち衣服本体９０１）は、恒常的な折り線９０７、９０９により、中央の八角形パターン９０５ａを中心として、その周方向に伸縮可能となる。そして、服地９０３ａ、９０３ｂが、折り線９０７、９０９に沿って扁平に折り畳まれることにより、衣服本体９０１が収納可能となる。扁平に折り畳まれた状態での衣服本体９０１は、それ自体が図２７に示すような幾何学形状を有する、高いデザイン性を備えた衣服となる。
【０１２４】
衣服本体９０１は、着用時には、中央の八角形パターン９０５ａが人体の右脇腹部周辺に配置される。このため、衣服本体９０１は、人体の右側から左側にかけて広がりをもった形状となる。
【０１２５】
また、衣服本体９０１は、各シートの服地９０３ａ、９０３ｂそれぞれの適宜位置に、複数の括り合わせ部９１５ａ、９１５ｂ、９１５ｃ、９１５ｄを有する。括り合わせ部９１５ａ〜９１５ｄは、同符号が付された複数箇所の縫合線同士の縫い合せである。これら括り合わせ部９１５ａ〜９１５ｄによって、衣服本体９０１は、着用時にも、折り線９０７、９０９の折れが開ききることなく、折れが維持されてシャツ９００独自の立体感のある外観デザインとなる。
【０１２６】
次に本実施形態にかかる衣服の基本的な製造方法を図１〜５のワンピースを例にとり説明する。
【０１２７】
化学繊維等の熱可塑性を有する服地を１シート用意する。まず、この服地１０３に、所望の多角形パターン１０５を画成する、山折り線及び谷折り線を折り畳んでいく。この場合、例えば、アイロンなどを用いて、服地１０３に一時的な折り線を形成するようにしてもよい。
【０１２８】
次に、すべての山折り線及び谷折り線が一時的に形成された状態（一時的に、図２の形状が形成された状態）で、服地１０３全体に一気に熱加工処理（熱プレス加工）を施す。これにより、服地１０３は、恒常的な折り線１０７、１０９を有した服地１０３となる。
【０１２９】
必要な場合には、例えば図４に示すように、服地１０３に色彩又は模様を施す。服地１０３に色彩又は模様を施す際には、例えば扁平に折り畳んだ服地１０３の表面に、服地１０３の全体表面とは異なる色彩を施す。この色彩は、例えば、染料の塗布、色彩を有するシートの熱転写等の方法で行われる。これにより、図５に示すように、着用時のワンピース・ドレス１００は、色彩又は模様が、所定パターンで分散するため、図示例のような、面白みのある独特なデザイン性を備える。
【０１３０】
次に、服地１０３に閉じ合わせ手段を設ける。具体的には、縫合部１１１を縫合し、スナップ１１３ａ、１１３ｂを取り付ける。さらに、服地１０３に結合手段を設ける。具体的には、括り合わせ部１１５ａ〜１１５ｆの同符号が付された複数箇所の縫合線を重ねて縫い合わせる。最後に、服地１０３に、肩ひも１０２ａ及びスナップ１０２ｂを取り付けて、ワンピース・ドレス１００が完成する。
【０１３１】
上述した衣服の製造方法によれば、熱加工処理によって、服地に、前述の条件を満たす恒常的な折り線を予め形成することにより、その１シートの服地（又は複数シートを継ぎ合わせた服地）に結合手段（人体の所定箇所を覆うため、服地の端部を縫合するなどの手段）及び閉じ合わせ手段（恒常的な折り線を維持するため、扁平に折り畳まれた服地の重ね合わされた部分を縫合するなどの手段）を形成するだけで、デザイン性の高い複雑な形状の衣服を形成することができる。
【０１３２】
上記衣服の製造方法は、服地を、人体の形状に合わせた身頃や袖等をそれぞれ個別に切断し縫合する、従来の衣服の製造方法に比べ、極めて簡易な工程で衣服を製造することが可能となる。また、服地に（前述の条件を満たす）恒常的な折り線を形成することで、服地に結合手段及び閉じ合わせ手段を形成するだけという、極めて簡易な工程であっても、非常にデザイン性の高い衣服を作成することができる。また、服地を扁平に折り畳んだ状態で、色彩を施すだけで、着用時の衣服を伸展させた状態（結合手段により、完全な伸展ではないが）においては、衣服のところどころに、色彩(又は模様でもよい)が施された、個性的な外観デザインを形成することが可能となる。
【０１３３】
なお、服地１０３に模様又は色彩を施す例として、扁平に折り畳んだ服地１０３の表面に、服地１０３の全体表面とは異なる色彩を施す例を示した。しかし、これに代えて、前述したように、服地１０３に、多数の恒常的な折り線１０７、１０９の位置を視覚的に表示する、或る色彩をもった模様を施してもよい（第一実施例参照）。この場合、折り線１０７、１０９の位置を表示する工程は、服地１０３に折り線１０７、１０９を形成するより前に実行されることが好ましい。これにより、折り線を形成する工程において、服地１０３の何処に折り線１０７、１０９を形成すべきなのかを容易に理解できる。
【０１３４】
以上、本発明の好適な実施形態を説明したが、これは本発明の説明のための例示であり、本発明の範囲をこの実施形態にのみ限定する趣旨ではない。本発明は、その要旨を逸脱しない範囲で、上記実施形態とは異なる種々の態様で実施することができる。
【符号の説明】
【０１３５】
１００      ワンピース・ドレス
１０１      衣服本体
１０２ａ    ストラップ
１０２ｂ    スナップ
１０３      服地
１０５      多角形パターン
１０７      折り線
１０９      折り線
１１１      縫合部
１１３ａ    スナップ
１１５ａ〜１１５ｅ  括り合わせ部
【要約】
【課題】扁平に折り畳むことを可能とし、かつその衣服の外観デザインの視覚的アピールに寄与する衣服を提供することにある。
【解決手段】１シート又は相互に継合わされた複数シートの服地１０３である衣服本体１０１を備え、衣服本体の各シートの服地が、人に着用されたとき、人の身体の所定部分を貫通させる少なくとも２つの開口を有する中空の立体形状を形成し、各シートの服地は、その面積の全体に行列状に配列された多数の多角形パターン１０５を画成する多数の恒常的な折り線１０７、１０９を有し、多数の折り線は、それらに沿って服地が扁平に折り畳まれることを可能とする幾何学的条件を満たし、各シートの服地が、人に着用されたとき、多数の折り線に沿った折れが維持されるように、異なる多角形パターン上の少なくとも２箇所が、相互に結合されるための結合手段１１５ａ〜１１５ｄを有する。
【選択図】図１【図１】
0004625878.tif 000002
【図２】
0004625878.tif 000003
【図３】
0004625878.tif 000004
【図４】
0004625878.tif 000005
【図５】
0004625878.tif 000006
【図６】
0004625878.tif 000007
【図７】
0004625878.tif 000008
【図８】
0004625878.tif 000009
【図９】
0004625878.tif 000010
【図１０】
0004625878.tif 000011
【図１１】
0004625878.tif 000012
【図１２】
0004625878.tif 000013
【図１３】
0004625878.tif 000014
【図１４】
0004625878.tif 000015
【図１５】
0004625878.tif 000016
【図１６】
0004625878.tif 000017
【図１７】
0004625878.tif 000018
【図１８】
0004625878.tif 000019
【図１９】
0004625878.tif 000020
【図２０】
0004625878.tif 000021
【図２１】
0004625878.tif 000022
【図２２】
0004625878.tif 000023
【図２３】
0004625878.tif 000024
【図２４】
0004625878.tif 000025
【図２５】
0004625878.tif 000026
【図２６】
0004625878.tif 000027
【図２７】
0004625878.tif 000028
【図２８】
0004625878.tif 000029